(57)【要約】【課題】画面の色味の非対称性を改善し、表示品位の良好なＯＣＢモードを適用した液晶表示装置を提供することを目的とする。【解決手段】  一対の基板間に液晶層を保持した構成のＯＣＢモードを適用した液晶表示パネル１と、液晶表示パネル１の外面に配置され液晶層に電圧を印加した所定の表示状態において液晶層のリタデーションを光学的に補償する光学補償素子４０及び５０と、を備え、光学補償素子は、偏光板ＰＬと、偏光板と液晶表示パネルとの間に配置されディスコティック液晶分子を法線方向に沿ってハイブリッド配向した状態で固定化させた第１位相差板Ｒ１と、偏光板と第１位相差板との間に配置され液晶層における面内位相差の波長分散特性に対して逆の波長分散特性を有する第２位相差板Ｒ２と、を含むことを特徴とする。【選択図】      図１
2008225083.tif 000002
【特許請求の範囲】
【請求項１】
一対の基板間に液晶層を保持した構成のＯＣＢモードを適用した液晶表示パネルと、
前記液晶表示パネルの外面に配置され、前記液晶層に電圧を印加した所定の表示状態において、前記液晶層のリタデーションを光学的に補償する光学補償素子と、を備え、
前記光学補償素子は、
偏光板と、
前記偏光板と前記液晶表示パネルとの間に配置され、ディスコティック液晶分子を法線方向に沿ってハイブリッド配向した状態で固定化させた第１位相差板と、
波長５５０ｎｍでの面内位相差Ｒe550に対する波長４３０ｎｍでの面内位相差Ｒe430の比をα１としたとき、α１＜１となる波長分散特性を有する第２位相差板と、
を含むことを特徴とする液晶表示装置。
【請求項２】
前記第２位相差板は、波長５５０ｎｍでの面内位相差Ｒe550に対する波長６２５ｎｍでの面内位相差Ｒe625の比をα２としたとき、α２＞１となる波長分散特性を有することを特徴とする請求項１に記載の液晶表示装置。
【請求項３】
前記第２位相差板の面内位相差Ｒｅの波長分散特性は、前記液晶層における面内位相差Ｒｅの波長分散特性と逆の波長分散特性を有することを特徴とする請求項１に記載の液晶表示装置。
【請求項４】
前記第２位相差板は、波長５５０ｎｍでの厚み方向位相差Ｒth550に対する波長４３０ｎｍでの厚み方向位相差Ｒth550の比をβ１としたとき、β１＞１となる波長分散特性を有することを特徴とする請求項１に記載の液晶表示装置。
【請求項５】
前記第２位相差板は、波長５５０ｎｍでの厚み方向位相差Ｒth550に対する波長６２５ｎｍでの厚み方向位相差Ｒth625の比をβ２としたとき、β２＜１となるような波長分散特性を有することを特徴とする請求項４に記載の液晶表示装置。
【請求項６】
前記第２位相差板の厚み方向位相差Ｒthの波長分散特性は、前記液晶層における厚み方向位相差Ｒthの波長分散特性と同等の波長分散特性を有することを特徴とする請求項１に記載の液晶表示装置。
【請求項７】
前記第２位相差板は、２軸の位相差板であることを特徴とする請求項１に記載の液晶表示装置。
【請求項８】
前記第２位相差板は、Ａプレート相当の屈折率異方性を有する第１位相差層と、Ｃプレート相当の屈折率異方性を有する第２位相差層と、を備えたことを特徴とする請求項１に記載の液晶表示装置。
【発明の詳細な説明】
【技術分野】
【０００１】
この発明は、液晶表示装置に係り、特に、広視野角及び高速応答の実現が可能な光学的補償ベンド（ＯＣＢ；Ｏｐｔｉｃａｌｌｙ  Ｃｏｍｐｅｎｓａｔｅｄ  Ｂｅｎｄ）配向技術を用いた液晶表示装置に関する。
【背景技術】
【０００２】
液晶表示装置は、軽量、薄型、低消費電力などの特徴を生かして、各種分野に適用されている。
【０００３】
近年、視野角及び応答速度を改善可能な液晶表示装置として、ＯＣＢモードを適用した液晶表示装置が注目されている。このようなＯＣＢモードの液晶表示装置は、一対の基板間に所定の電圧を印加した状態でベンド配向した液晶分子を含む液晶層を保持した構成である。このようなＯＣＢモードは、ＴＮ（ツイステッド・ネマティック）モードと比較して応答速度の高速化が可能であり、さらに液晶分子の配向状態により液晶層を通過する光の複屈折の影響を光学的に自己補償できるため視野角の拡大が可能であるという利点がある。
【０００４】
ＯＣＢモードを適用した液晶表示装置におけるさらなる視野角特性の改善のための光学シートとして、ハイブリッド配向したディスコティック液晶分子を含む光学補償シートが提案されている（例えば、特許文献１参照）。
【特許文献１】特許第３１１８１９７号公報
【発明の開示】
【発明が解決しようとする課題】
【０００５】
上述したようなＯＣＢモードの液晶表示装置においては、見る方向により色味が異なるといった課題がある。すなわち、液晶層に対して所定の電圧を印加して黒画像を表示する状態において、配向膜のラビング方向に直交する方位に沿って画面の法線方向から次第に視角を増大していくと、黒画像が色付く。このとき、例えばラビング方向を画面の垂直方向とし、法線方向から画面の右側に視角を増大していく場合と左側に視角を増大していく場合とでは色味が異なる。例えば、画面の右側では黒画像が赤色に色付き、また、画面の左側では黒画像が青色に色付く。
【０００６】
この発明は、上述した問題点に鑑みなされたものであって、その目的は、斜め方向から見た時の不所望な画面の着色を改善したＯＣＢモードを適用した液晶表示装置を提供することにある。また、この発明は、視角方向による色味の非対称性を改善し、表示品位の良好なＯＣＢモードを適用した液晶表示装置を提供することにある。
【課題を解決するための手段】
【０００７】
この発明の態様による液晶表示装置は、
一対の基板間に液晶層を保持した構成のＯＣＢモードを適用した液晶表示パネルと、
前記液晶表示パネルの外面に配置され、前記液晶層に電圧を印加した所定の表示状態において、前記液晶層のリタデーションを光学的に補償する光学補償素子と、を備え、
前記光学補償素子は、
偏光板と、
前記偏光板と前記液晶表示パネルとの間に配置され、ディスコティック液晶分子を法線方向に沿ってハイブリッド配向した状態で固定化させた第１位相差板と、
波長５５０ｎｍでの面内位相差Ｒe550に対する波長４３０ｎｍでの面内位相差Ｒe430の比をα１としたとき、α１＜１となる波長分散特性を有する第２位相差板と、
を含むことを特徴とする。
【発明の効果】
【０００８】
この発明によれば、斜め方向から見た時の不所望な画面の着色を改善したＯＣＢモードを適用した液晶表示装置を提供することができ、また、視角方向による色味の非対称性を改善し、表示品位の良好なＯＣＢモードを適用した液晶表示装置を提供することができる。
【発明を実施するための最良の形態】
【０００９】
以下、この発明の一実施の形態に係る液晶表示装置について図面を参照して説明する。なお、ここでは、液晶表示装置として、１画素がバックライト光を選択的に透過することによって画像を表示する透過部のみによって構成された透過型液晶表示装置を例に説明するが、１画素内に外光を選択的に反射することによって画像を表示する反射部のみによって構成された反射型液晶表示装置や、１画素内に反射部と透過部とを有する半透過型液晶表示装置など、ＯＣＢ（Ｏｐｔｉｃａｌｌｙ  Ｃｏｍｐｅｎｓａｔｅｄ  Ｂｅｎｄ）モードを適用した液晶表示装置であれば、以下に説明する実施の形態に基づき、同様の効果が得られるものである。
【００１０】
図１に示すように、液晶表示装置は、ＯＣＢモードを適用した液晶表示パネル１と、液晶表示パネル１を照明するバックライト６０と、液晶表示パネル１とバックライト６０との間に配置された第１光学補償素子４０と、液晶表示パネル１の観察面側に配置された第２光学補償素子５０と、を備えている。
【００１１】
図２及び図３に示すように、液晶表示パネル１は、一対の基板すなわちアレイ基板１０と対向基板２０との間に液晶層３０を保持した構成であり、画像を表示するアクティブエリアＤＳＰを備えている。このアクティブエリアＤＳＰは、マトリクス状に配置された複数の表示画素ＰＸによって構成されている。
【００１２】
アレイ基板１０は、ガラスなどの光透過性を有する絶縁基板１１を用いて形成されている。このアレイ基板１０は、絶縁基板１１の一方の主面に、表示画素ＰＸの行方向に沿って配置された複数の走査線Ｓｃ、表示画素ＰＸの列方向に沿って配置された複数の信号線Ｓｇ、走査線Ｓｃと信号線Ｓｇとの交差部近傍において表示画素ＰＸ毎に配置されたスイッチ素子１２、スイッチ素子１２に接続され表示画素ＰＸ毎に配置された画素電極１３、絶縁基板１１の主面全体を覆うように配置された配向膜１６などを備えている。
【００１３】
スイッチ素子１２は、例えば薄膜トランジスタ（Ｔｈｉｎ  Ｆｉｌｍ  Ｔｒａｎｓｉｓｔｏｒ；ＴＦＴ）などで構成されている。画素電極１３は、絶縁膜１４上に配置され、スイッチ素子１２と電気的に接続されている。この画素電極１３は、インジウム・ティン・オキサイド（ＩＴＯ）などの光透過性を有する導電膜によって形成されている。
【００１４】
対向基板２０は、ガラスなどの光透過性を有する絶縁基板２１を用いて形成されている。この対向基板２０は、絶縁基板２１の一方の主面に、複数の表示画素ＰＸに共通に配置された対向電極２２、絶縁基板２１の主面全体を覆うように配置された配向膜２３などを備えている。対向電極２２は、例えばＩＴＯなどの光透過性を有する導電膜によって形成されている。
【００１５】
上述したような構成のアレイ基板１０と対向基板２０とは、図示しないスペーサを介して互いに所定のギャップを維持した状態で配置され、シール材によって貼り合わせられている。液晶層３０は、これらアレイ基板１０と対向基板２０との間のギャップに封入されている。
【００１６】
この実施の形態では、液晶表示パネル１は、ＯＣＢモードを適用した構成であり、液晶層３０は、正の誘電率異方性を有するとともに光学的に正の一軸性を有する液晶分子３１を含む材料によって構成されている。この液晶層３０においては、液晶層３０に電圧を印加した所定の表示状態において、アレイ基板１０と対向基板２０との間で液晶分子３１がベンド配向している。
【００１７】
第１光学補償素子４０及び第２光学補償素子５０は、上述したような液晶表示パネル１における液晶層３０に電圧を印加した所定の表示状態において、液晶層３０のリタデーションを光学的に補償する機能を有している。すなわち、図１に示すように、第１光学補償素子４０はアレイ基板１０の外面に配置され、また、第２光学補償素子５０は対向基板２０の外面に配置されている。これらの第１光学補償素子４０及び第２光学補償素子５０は、略同一構成であり、それぞれ偏光板ＰＬ、第１位相差板Ｒ１、及び、第２位相差板Ｒ２を備えて構成されている。
【００１８】
偏光板ＰＬは、例えば、トリアセテート・セルロース（ＴＡＣ）などによって形成された一対の支持層の間にポリビニルアルコール（ＰＶＡ）などの偏光層を保持した構成であり、互いにほぼ直交する透過軸及び吸収軸を有している。
【００１９】
第１位相差板Ｒ１は、偏光板ＰＬと液晶表示パネル１との間に配置され、互いにほぼ直交する進相軸及び遅相軸を有している。この第１位相差板Ｒ１は、液晶層３０のリタデーションを補償する異方性フィルムであり、ＷＶフィルム（富士写真フィルム（株）製）を適用可能である。このＷＶフィルムは、光学的に負の１軸性の屈折率異方性を有するディスコティック液晶分子を液晶状態において法線方向に沿ってハイブリッド配向した状態で固定化させた液晶フィルムである。
【００２０】
第２位相差板Ｒ２は、偏光板ＰＬと第１位相差板Ｒ１との間に配置されている。図１に示した例では、第２位相差板Ｒ２は、第１位相差層Ｒ２Ａと、第２位相差層Ｒ２Ｂとを備えているが、後述するように一体に構成してもかまわない。
【００２１】
この第１位相差層Ｒ２Ａは、面内位相差を有するようにＡプレートによって構成され、その面内方位での互いに直交する方位の屈折率をそれぞれｎｘ及びｎｙとし、その法線方位の屈折率をｎｚとしたときに、ｎｘ＞ｎｙ≒ｎｚ（光学正）あるいはｎｚ≒ｎｘ＞ｎｙ（光学負）の屈折率異方性を有している。また、第２位相差層Ｒ２Ｂは、法線位相差を有するようにＣプレートによって構成され、ｎｘ≒ｎｙ＜ｎｚ（光学正）あるいはｎｘ≒ｎｙ＞ｎｚ（光学負）の屈折率異方性を有している。
【００２２】
上述したような液晶表示装置においては、アレイ基板１０側の配向膜１６及び対向基板２０側の配向膜２３のラビング方向を基準方位として、各構成は以下のような軸角度で配置されている。軸角度とは、偏光板の透過軸及び位相差板の遅相軸が基準方位（Ｘ軸）に対して反時計回りになす角度であり、図４によって定義されるものである。すなわち、対向基板２０側から液晶表示装置を観察したとき、アレイ基板１０（または対向基板２０）の主面に平行な平面内において、便宜上、互いに直交するＸ軸及びＹ軸を定義し、この平面の法線方向をＺ軸と定義する。面内とは、Ｘ軸及びＹ軸で規定される平面内に相当する。
【００２３】
例えば、液晶層３０のラビング方向は０°方位に設定されている。そして、アレイ基板側の第１光学補償素子４０においては、偏光板ＰＬはその透過軸が１３５°方位に設定され、第１位相差板Ｒ１はその遅相軸が液晶層３０のリタデーションを補償するようにラビング方向と直交する９０°方位に設定され、第２位相差板Ｒ２の第１位相差層Ｒ２Ａは、例えばその遅相軸が偏光板ＰＬはその透過軸と略一致する１３５°方位に設定されている。また、対向基板側の第２光学補償素子５０においては、偏光板ＰＬはその透過軸が４５°方位に設定され、第１位相差板Ｒ１はその遅相軸が液晶層３０のリタデーションを補償するようにラビング方向と直交する９０°方位に設定され、第２位相差板Ｒ２の第１位相差層Ｒ２Ａは、例えばその遅相軸が偏光板ＰＬはその透過軸と略一致する４５°方位に設定されている。
【００２４】
なお、第１光学補償素子４０及び第２光学補償素子５０について、各構成のリタデーション値は以下の通りである。ここでは、波長５５０ｎｍでのリタデーション値を示している。すなわち、第１位相差板Ｒ１のリタデーション値は３０ｎｍであり、第２位相差板Ｒ２の第１位相差層Ｒ２Ａのリタデーション値（面内位相差）Ｒｅ550は４０ｎｍであり、第２位相差層Ｒ２Ｂのリタデーション値（厚み方向（法線）位相差）Ｒth550は１７０ｎｍである。ここでは、液晶層３０を介して配置されるそれぞれのリタデーション値を等しくしたが、この発明はこれに限られるものではない。
【００２５】
このようなＯＣＢモードを適用した液晶表示装置においては、図４に示したように、Ｘ−Ｚ平面内において所定の電圧印加状態（例えば黒表示状態）で液晶分子３１がベンド配向している。
【００２６】
従来、画面の法線方向（すなわちＺ軸方向）からＸ−Ｙ平面内の９０°方位に向かって視角を増大していく場合と、Ｘ−Ｙ平面内の２７０°方位に向かって視角を増大していく場合とでは、黒表示の画面でありながら色付きが生じ、しかも、色味が異なる。これは、９０°方位側から画面を観察した場合には液晶分子３１が下（アレイ基板側）から上（対向基板側）に向かって反時計回り（すなわち左回り）に配列しているのに対して、２７０°方位側から画面を観察した場合には液晶分子３１が下から上に向かって時計回り（すなわち右回り）に配列しているため、液晶層３０を通過する光の旋光性の影響による偏光状態が異なることに起因している。
【００２７】
そこで、発明者等は、上記した構成により、色付きや、視角方向による色味の違いを解消している。
【００２８】
詳しくは、黒表示状態における液晶層３０の液晶分子は、比較的立った状態に配列している。そこで、斜め方向から見た場合に第１位相差板Ｒ１のみでは十分な補償ができないことを勘案して、屈折率がｎｘ≒ｎｙ≠ｎｚの関係にある第２位相差層Ｒ２Ｂを配置し、これにより斜め方向から見た場合でも液晶層３０の位相差を補償するようにした。更に、斜め方向から見た場合の旋光性の影響を解消するように、屈折率がｎｘ＞ｎｙ≒ｎｚの関係にある第１位相差層Ｒ２Ａを配置した。
【００２９】
更に、それぞれの波長分散特性を次のように設定した。なお、この明細書における規格化位相差Ｒとは、５５０ｎｍの波長で規格化したときの各波長の規格化位相差Ｒ／Ｒ（λ＝５５０）を意味する。
【００３０】
まず、液晶層３０の厚み方向位相差Ｒthは、黒表示状態での液晶層３０の規格化位相差Ｒ／Ｒ（λ＝５５０）は、短波長側で１よりも大きく、長波長側において１よりも小さい、負の傾きを持つような波長分散特性を有している。そこで、第２位相差層Ｒ２Ｂは、液晶層３０の規格化位相差Ｒ／Ｒ（λ＝５５０）の特性に沿うよう、規格化位相差Ｒth／Ｒth（λ＝５５０）は、短波長側で１よりも大きく設定されている。詳しくは、波長５５０ｎｍでの位相差Ｒth550に対する波長４３０ｎｍでの位相差Ｒth430の比をβ１としたとき、β１＞１に設定された負の傾きを持つような波長分散特性を有している。更に好ましくは、波長５５０ｎｍでの位相差Ｒth550に対する波長６２５ｎｍでの位相差Ｒth625の比をβ２としたとき、第２位相差層Ｒ２Ｂは、β２＜１となるような波長分散特性を有することが望ましい。このような条件の第２位相差層Ｒ２Ｂを適用することにより短波長から長波長まで十分な光学補償が可能となる。
【００３１】
また、第１位相差層Ｒ２Ａは、上記したように斜め方向から見た場合の旋光性の影響を解消するものであるが、各波長に対する影響を異ならしめて、最終的に色味を等しくするよう、規格化位相差Ｒe／Ｒe（λ＝５５０）は、液晶層３０の規格化位相差Ｒe／Ｒe（λ＝５５０）と逆特性となるよう、短波長側で１よりも小さく設定されている。詳しくは、波長５５０ｎｍでの位相差Ｒe550に対する波長４３０ｎｍでの位相差Ｒe430の比をα１としたとき、α１＜１に設定された正の傾きを持つような波長分散特性を有している。更に好ましくは、波長５５０ｎｍでの位相差Ｒe550に対する波長６２５ｎｍでの位相差Ｒe625の比をα２としたとき、第１位相差層Ｒ２Ａは、α２＞１となるような波長分散特性を有することが望ましい。このような条件の第１位相差層Ｒ２Ａを適用することにより視角方向による色味の違いを解消することができる。
【００３２】
次に、本実施形態の構成における効果を検証した。ここで、本実施形態の構成としては、第１光学補償素子４０及び第２光学補償素子５０は、それぞれ第２位相差板Ｒ２を備えており、第１位相差層Ｒ２Ａは図５の実線Ａに示したような位相差Ｒeの波長分散特性を有しており、また、第２位相差層Ｒ２Ｂは図６の実線Ａに示したような位相差Ｒthの波長分散特性を有している。なお、第１位相差層Ｒ２Ａについて、α１＝０．６８、α２＝１．２０に設定した。また、第２位相差層Ｒ２Ｂについて、β１＝１．１０、β２＝０．９７に設定した。
【００３３】
なお、比較例として、第１光学補償素子４０及び第２光学補償素子５０は、それぞれ第２位相差板Ｒ２を備えており、第１位相差層Ｒ２Ａは図５の実線Ｂに示したような位相差Ｒeの波長分散特性を有し、また、第２位相差層Ｒ２Ｂは図６の実線Ｂに示したような位相差Ｒthの波長分散特性を有するものを適用した。なお、第１位相差層Ｒ２Ａについて、α１＝１．０４、α２＝１．００に設定した。また、第２位相差層Ｒ２Ｂについて、β１＝１．０４、β２＝１．００に設定した。
【００３４】
図７には、黒表示状態での視角の増大に伴う色度の変化を測定した測定結果を示している。この図７においては、ＣＩＥ  １９７６  ＵＣＳ色度図を用いて色度を表している。便宜上、ラビング方向を画面の垂直方向とし、９０°方位を画面の右側とし、２７０°方位を画面の左側とする。図７に示したように、画面の法線方向から右側に視角を増大していく場合と左側に視角を増大していく場合とでは黒の色度が異なる。
【００３５】
画面の右側について視角６０°での色度と、画面の左側について視角６０度での色度との色度差を｜Δｖ’｜及び｜Δｕ’｜としたとき、図８に示すように、本実施形態では、｜Δｖ’｜について０．０４であったのに対して比較例では０．２０であり、また、｜Δｕ’｜について０．０１８であったのに対して比較例では０．０６であった。
【００３６】
このような結果から明らかなように、本実施形態の構成によれば、画面の右側と左側とで視角を増大しても黒表示の色味の変化が小さく、色味の非対称性を改善できることが確認できた。
【００３７】
上記した実施形態では、正面方向から見たときに第２位相差層Ｒ２Ｂのリタデーションの影響がないように偏光板との軸角度を調整したが、本発明はこれに限定されるものではない。
【００３８】
また、上記した実施形態では、第２位相差板を第１位相差層と第２位相差層とに機能分離して配置したが、屈折率がｎｘ≠ｎｙ≠ｎｚの関係にある光学２軸の位相差層で構成してもかまわない。
【００３９】
この場合、一方の第２位相差板Ｒ２の配置は、例えば屈折率ｎｘ（＞ｎｙ）の方位が１３５°方位となっており、他方の第２位相差板Ｒ２の配置は、例えば屈折率ｎｘ（＞ｎｙ）の方位が４５°方位となっている。
【００４０】
そして、位相差Ｒe及び位相差Ｒthの波長分散特性は、実質的には上記の実施形態と等しく、位相差Ｒeは正の傾きを持つような波長分散特性を有し、位相差Ｒthは負の傾きを持つような波長分散特性となっている。
【００４１】
このような構成においても、上記した実施形態と同様に、｜Δｖ’｜について０．０４、また｜Δｕ’｜について０．０１８であった。
【００４２】
そして、このような結果から明らかなように、本実施形態の構成によれば、画面の右側と左側とで視角を増大しても黒表示の色味の変化が小さく、色味の非対称性を改善できることが確認できた。
【００４３】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４４】
【図１】図１は、この発明の一実施の形態に係る液晶表示装置の構成を概略的に示す図である。
【図２】図２は、図１に示した液晶表示装置に適用可能な液晶表示パネルの構成を概略的に示す図である。
【図３】図３は、図１に示した液晶表示装置に適用可能なＯＣＢモードの液晶表示パネルの構成を概略的に示す図である。
【図４】図４は、図１に示した液晶表示装置について配向膜のラビング方向に対する軸角度の定義を説明するための図である。
【図５】図５は、図１に示した液晶表示装置に適用可能な位相差板の面内位相差の波長分散特性を説明するための図である。
【図６】図６は、図１に示した液晶表示装置に適用可能な位相差板の法線位相差の波長分散特性を説明するための図である。
【図７】図７は、ＣＩＥ  １９７６  ＵＣＳ色度図における黒表示状態での視角の増大に伴う色度変化を示す図である。
【図８】図８は、本実施形態及び比較例に係る液晶表示装置の構成及びこれらの色度差の測定結果を示す図である。
【符号の説明】
【００４５】
ＤＳＰ…アクティブエリア  ＰＸ…表示画素  Ｒ１…第１位相差板  Ｒ２…第２位相差板  ＰＬ…偏光板  Ｒ２Ａ…第１位相差層  Ｒ２Ｂ…第２位相差層  １…液晶表示パネル  １０…アレイ基板  ２０…対向基板  ３０…液晶層  ３１…液晶分子  ４０…第１光学補償素子  ５０…第２光学補償素子  ６０…バックライト
【図１】
2008225083.tif 000003
【図２】
2008225083.tif 000004
【図３】
2008225083.tif 000005
【図４】
2008225083.tif 000006
【図５】
2008225083.tif 000007
【図６】
2008225083.tif 000008
【図７】
2008225083.tif 000009
【図８】
2008225083.tif 000010